(57)【要約】【課題】作業負担を軽減すること。【解決手段】実施形態の紙葉類処理装置は、計数処理部と、読取部と、検索部と、搬送制御部とを持つ。計数処理部は、搬送機構により搬送される紙葉類を、仕切りカードにより仕切られた処理単位ごとに計数する。読取部は、前記仕切りカードから前記仕切りカードに割り当てられた識別情報を読み取る。検索部は、前記紙葉類の属性を示す属性情報に前記識別情報を対応付けて記憶する記憶部から、前記読取部により読み取られた前記識別情報を検索する。搬送制御部は、前記検索部の検索により前記識別情報が得られなかった場合、前記搬送機構による前記紙葉類の搬送を停止させる。【選択図】図３
2015127905.tif 000002
【特許請求の範囲】
【請求項１】
搬送機構により搬送される紙葉類を、仕切りカードにより仕切られた処理単位ごとに計数する計数処理部と、
前記仕切りカードから前記仕切りカードに割り当てられた識別情報を読み取る読取部と、
前記紙葉類の属性を示す属性情報に前記識別情報を対応付けて記憶する記憶部から、前記読取部により読み取られた前記識別情報を検索する検索部と、
前記検索部の検索により前記識別情報が得られなかった場合、前記搬送機構による前記紙葉類の搬送を停止させる搬送制御部と、
を備える紙葉類処理装置。
【請求項２】
前記仕切りカードは、自身に対応する処理単位の紙葉類の末尾に配置された状態で前記搬送機構の導入部に載置され、
前記搬送制御部は、
前記検索部の検索により前記識別情報が得られなかったことを検知したときに、前記搬送機構による前記紙葉類の搬送を停止させる請求項１に記載の紙葉類処理装置。
【請求項３】
前記仕切りカードは、自身に対応する処理単位の紙葉類の先頭に配置された状態で前記搬送機構の導入部に載置され、
前記搬送制御部は、
前記検索部の検索により前記識別情報が得られなかったことを検知した後、前記識別情報が得られなかった前記仕切りカードに対応する処理単位の紙葉類が所定の箇所に搬送されたときに、前記搬送機構による前記紙葉類の搬送を停止させる請求項１に記載の紙葉類処理装置。
【請求項４】
前記搬送制御部は、
前記検索部の検索により得られなかった前記識別情報が前記記憶部に追加されたことを含む条件を満たす場合に、前記搬送機構による前記紙葉類の搬送を開始させる請求項１から３のうちいずれか一項に記載の紙葉類処理装置。
【請求項５】
前記検索部の検索により前記識別情報が得られなかった場合、前記識別情報が登録されていないことを報知する報知部をさらに備える請求項１から４のうちいずれか一項に記載の紙葉類処理装置。
【請求項６】
前記搬送制御部は、
前記検索部の検索により前記識別情報が得られなかった場合、処理単位に含まれる全ての前記紙葉類を、前記仕切りカードを回収するための回収箱に排出するように前記搬送機構を制御する請求項１から５のうちいずれか一項に記載の紙葉類処理装置。
【請求項７】
処理単位ごとに仕切りカードにより仕切られた紙葉類を搬送するステップと、
前記仕切りカードから前記仕切りカードに割り当てられた識別情報を読み取るステップと、
前記紙葉類の属性情報に前記識別情報を対応付けて記憶する記憶部から、前記読み取るステップにおいて読み取られた前記識別情報を検索するステップと、
前記検索するステップにおいて前記識別情報が得られなかった場合、前記紙葉類の搬送を停止させるステップと、
を備える紙葉類処理方法。
【発明の詳細な説明】
【技術分野】
【０００１】
本発明の実施形態は、紙葉類処理装置及び紙葉類処理方法に関する。
【背景技術】
【０００２】
投入された紙幣を種類に応じた集積部に振り分けると共に、投入された紙幣の合計金額を計数する紙葉類処理装置がある。紙葉類処理装置は、例えば口座ごとに入金された金額を計数するため、仕切りカードを用いて口座ごとの合計金額を計数する。この種の紙葉類処理装置では、取り込まれた仕切りカードが、事前に口座と紐づけて登録されていない場合、計数した入金の口座をデータベース上で特定することができない。この場合、紙葉類処理装置に取り込まれた複数の仕切りカードの中から事前登録されていない仕切りカードを探すため、手作業でマッチング処理を行う必要が生じる場合があった。その結果、作業者に作業負担がかかっていた。
【先行技術文献】
【特許文献】
【０００３】
【特許文献１】特開２００８−２５０９５５号公報
【発明の概要】
【発明が解決しようとする課題】
【０００４】
本発明が解決しようとする課題は、作業負担を軽減することができる紙葉類処理装置及び紙葉類処理方法を提供することである。
【課題を解決するための手段】
【０００５】
実施形態の紙葉類処理装置は、計数処理部と、読取部と、検索部と、搬送制御部とを持つ。計数処理部は、搬送機構により搬送される紙葉類を、仕切りカードにより仕切られた処理単位ごとに計数する。読取部は、前記仕切りカードから前記仕切りカードに割り当てられた識別情報を読み取る。検索部は、前記紙葉類の属性を示す属性情報に前記識別情報を対応付けて記憶する記憶部から、前記読取部により読み取られた前記識別情報を検索する。搬送制御部は、前記検索部の検索により前記識別情報が得られなかった場合、前記搬送機構による前記紙葉類の搬送を停止させる。
【図面の簡単な説明】
【０００６】
【図１】実施形態の紙葉類処理システムの一例を示す概略図である。
【図２】実施形態の紙葉類のバッチカードの配置例を示す図である。
【図３】実施形態の紙葉類処理装置の一例を示す概略図である。
【図４】実施形態の紙葉類処理装置に含まれる統括制御部の構成例を示す概略図である。
【図５】実施形態のバッチＤＢに記憶される情報の一例を示す図である。
【図６】第１の実施形態の紙葉類処理方法の一例について説明するためのフローチャートである。
【図７】実施形態の集計装置の表示画面の一例を示す図である。
【図８】第１の実施形態の紙葉類処理方法において処理される紙葉類について説明するための図である。
【図９】第２の実施形態の紙葉類処理方法の一例について説明するためのフローチャートである。
【図１０】第２の実施形態の紙葉類処理方法において処理される紙葉類について説明するための図である。
【発明を実施するための形態】
【０００７】
以下、実施形態の紙葉類処理装置を、図面を参照して説明する。
（第１の実施形態）
図１は、本実施形態に係る紙葉類処理システム１の一例を示す図である。本実施形態に係る紙葉類処理システム１は、登録装置１０と、紙葉類処理装置２０と、集計装置３０と、バッチＤＢ（Data Base）４０と、を備える。登録装置１０、紙葉類処理装置２０、及び集計装置３０は、それぞれバッチＤＢ４０と接続されている。また、紙葉類処理装置２０は、集計装置３０と接続されている。本実施形態に係る紙葉類処理システム１は、紙葉類として例えば紙幣Ｐを処理する。以下、実施形態では、紙幣Ｐを取り扱う例について説明する。
【０００８】
登録装置１０による登録処理は、紙葉類処理装置２０の処理よりも前に行われる処理である。登録装置１０は、例えば、オペレータＸにより操作されるパーソナルコンピュータである。登録装置１０のオペレータＸには、複数の紙幣Ｐをひとまとめにした紙幣群Ｇごとに紙幣Ｐが届けられる。紙幣群Ｇは、例えば、紙幣Ｐの所有者又は出所に応じてまとめられた集合である。各紙幣群Ｇは、例えば専用の収容ボックスに収容されている。また、登録装置１０を操作するオペレータＸには、紙幣群Ｇの属性を示す属性情報が記載されたアカウント用紙Ａが届けられる。紙幣群Ｇの属性情報には、例えば、紙幣群Ｇに含まれる紙幣Ｐの所有者又は出所などの情報を示すアカウント番号、紙幣群Ｇに含まれる紙幣Ｐの金額、集金された日時や場所、その他の情報が含まれる。アカウント番号には、例えば、銀行口座番号、銀行の支店番号、その他、金庫の識別番号等が含まれる。
【０００９】
図示の例では、紙幣群Ｇの収容ボックスに、各紙幣群Ｇに割り当てられたバッチカードＢが置かれている。バッチカードＢは、紙幣Ｐを処理単位ごとに仕切る仕切りカードである。バッチカードＢには、各バッチカードの識別情報であるバッチ番号が、目視可能なテキストあるいはバーコードなどにより記載されている。また、バッチカードＢは、紙幣Ｐと同じ大きさに形成されている。図示の例では、４つの紙幣群Ｇ１，Ｇ２，Ｇ３，Ｇ４がオペレータＸのところに届けられる。これら紙幣群Ｇ１，Ｇ２，Ｇ３，Ｇ４には、それぞれ、バッチカードＢ１，Ｂ２，Ｂ３，Ｂ４が割り当てられている。以下、紙幣群Ｇ１，Ｇ２，Ｇ３，Ｇ４…を代表して紙幣群Ｇと記載し、バッチカードＢ１，Ｂ２，Ｂ３，Ｂ４…を代表してバッチカードＢと記載する。
【００１０】
オペレータＸは、紙幣群Ｇごとに、バッチカードＢに記載されたバッチ番号とアカウント用紙Ａに記載されたアカウント番号とを登録装置１０に入力する。登録装置１０は、入力されたバッチ番号とアカウント番号とを紐付けて、バッチＤＢ４０に書き込む。登録装置１０は、例えばキーボードなどのメカデバイスを備え、キー入力によりバッチ番号とアカウント番号とが入力される。また、登録装置１０は、バーコードリーダを備え、バッチカードＢに記載されているバーコードからバッチ番号を読み取って、上記入力する処理としてもよい。
【００１１】
紙葉類処理装置２０による処理は、登録装置１０の登録作業よりも後に行われる処理である。紙葉類処理装置２０の作業者Ｙのところには、収容ボックスに収容された状態で各紙幣群Ｇが届けらえる。図示の例では、各紙幣群Ｇの収容ボックスの上に、登録装置１０の処理において対応付けられたバッチカードＢが置かれている。紙葉類処理装置２０は、紙幣群Ｇを収容ボックスから取り出して紙葉類処理装置２０に投入する作業者Ｙにより操作される。作業者Ｙは、紙葉類処理装置２０の紙葉類の供給部に、紙幣群Ｇに含まれる全ての紙幣Ｐと、紙幣群Ｇに対応するバッチカードＢとを重ねて載置する。紙幣群Ｇに含まれる全ての紙幣ＰとバッチカードＢとは、紙幣群Ｇごとに交互に積み重ねられる。本実施形態において、バッチカードＢは、紙幣群Ｇに含まれる全ての紙幣Ｐの上に載置される。
【００１２】
ここで、図２を参照して、本実施形態における積み重ねられたバッチカードＢと紙幣群Ｇとの配置例について説明する。図２は、紙葉類処理装置２０の供給部に載置されるバッチカードＢと紙幣群Ｇとの積層状態の一例を示す図である。図２に示す通り、バッチカードＢと紙幣群Ｇとは、「下」と書かれている方を下にして、紙葉類処理装置２０の供給部に載置される。
紙葉類処理装置２０は、供給部に載置された全ての紙幣ＰとバッチカードＢとを取り込み、バッチカードＢにより仕切られた紙幣Ｐの合計金額を紙幣群Ｇごとに計算する。紙葉類処理装置２０は、計算した紙幣Ｐの金額を示す情報と紙幣群Ｇの最後に読み取ったバッチ番号を示す情報とを対応付けて、集計装置３０に出力する。
【００１３】
集計装置３０は、例えば、作業者Ｙにより操作されるパーソナルコンピュータである。集計装置３０は、紙葉類処理装置２０から入力される情報に基づき、金額を示す情報とバッチ番号と紐づけてバッチＤＢ４０に書き込む。
【００１４】
次に、図３を参照して、紙葉類処理装置２０の一例について説明する。図３は、本実施形態に係る紙葉類処理装置２０の全体構成を概略的に示す断面図である。
図３に示すように、紙葉類処理装置２０は、メインユニット１００と、施封ユニット２００とを備える。
メインユニット１００は、供給部から供給される紙葉類を搬送しながら、搬送中の紙葉類が紙幣Ｐであるか又はバッチカードＢであるかを判定する。また、メインユニット１００は、紙幣Ｐを搬送しながら、紙幣Ｐの種類を判定するとともに、紙幣Ｐの正損検出および真偽検出を行う。メインユニット１００は、真偽検出における検出結果が偽券である紙幣Ｐや、搬送状態が基準姿勢からずれている紙幣Ｐ、バッチカードＢ等を、リジェクト券として回収する。メインユニット１００は、投入された紙葉類のうちリジェクト券以外の紙葉類（以下、処理券という）を、施封ユニット２００に搬出する。また、メインユニット１００は、処理券を、紙幣の種類ごとに用意される集積部に収容してもよい。
【００１５】
本実施形態において、リジェクト券には、偽券と判定された券、折れ又は破れが発見された券、スキューや２枚取りなどにより真偽が判別不能な券と判定された券、バッチカードＢ等が含まれる。スキューとは、搬送方向に対して、紙幣Ｐが斜めに傾斜している状態（つまり、まがった姿勢で搬送されている状態）をいう。紙葉類処理装置２０に投入された紙葉類のうちリジェクト券でないと判定された処理券には、真券でかつ正券と判定された紙幣Ｐ、又は、真券でかつ損券と判定された紙幣Ｐが含まれる。
施封ユニット２００は、メインユニット１００によって処理券と判定された紙幣Ｐをメインユニット１００から受け入れる。施封ユニット２００は、受け入れた紙幣Ｐを所定枚数ずつ施封し、処理券の把を収容部に収容する。
【００１６】
以下、各ユニットの構成について詳細に説明する。
メインユニット１００は、制御部１０１と、供給部１０２と、供給機構１０３と、搬送機構１０４と、検出装置１０５と、リジェクト部１０６と、集積部１０７とを備える。メインユニット１００は、供給機構１０３、搬送機構１０４、検出装置１０５、リジェクト部１０６、集積部１０７等を駆動する図示しない駆動機構および電源、その他、種々のセンサを備えている。
【００１７】
制御部１０１は、例えば、メインユニット１００内の制御ボードに設けられている。制御部１０１は、メインユニット１００および施封ユニット２００のそれぞれの動作を制御するＣＰＵと、種々のデータ、制御プログラム、管理情報等を格納するメモリとを備える。このメモリには、種々のデータとして、例えば、日時、シリアル番号、アサイン情報、銀行のロゴ、各国言語のフォント等の結束帯に印字可能な印字情報、紙葉類の複数段の処理速度等が格納されている。制御部１０１は、図示しないホストコンピュータに接続され、ホストコンピュータとの間で情報の送受信や、情報整理等を行う。制御部１０１は、集計装置３０から、種々の情報の入力を受信する。また、制御部１０１は、メインユニット１００や施封ユニット２００の動作状態、処理状態、計算した紙幣群Ｇごとの金額等を集計装置３０に送信し、集計装置３０に表示させる。本実施形態において、制御部１０１は、検出装置１０５の検出結果に基づき、紙幣Ｐの種類の判定、真偽判定、正損判定等を行う。詳細については後述する。
【００１８】
供給部１０２は、多数枚の紙幣ＰとバッチカードＢとを積層状態で収容し、例えば、２０００枚以上の紙幣ＰとバッチカードＢとを積層状態で収容することができる。供給部１０２は、垂直面に対して所定角度傾斜する支持面１０２ａと、供給部１０２の最下部であって支持面１０２ａと直交に交わる載置面１０２ｂとを備える。紙幣ＰとバッチカードＢとは、載置面１０２ｂ上に載置されている。紙幣ＰとバッチカードＢとは、例えば紙幣Ｐの長辺側の側縁が支持面１０２ａ上に接する状態で供給部１０２に収容される。
供給機構１０３は、ピックアップローラ等を備え、供給部１０２の最下部から紙幣Ｐ又はバッチカードＢを１枚ずつ取り出し、搬送機構１０４に搬出する。
【００１９】
搬送機構１０４は、供給機構１０３によって取り出された紙幣Ｐ又はバッチカードＢを一枚ずつ搬送する。搬送機構１０４は、例えば、搬送路を挟むように延設されている複数組の図示しない無端状の搬送ベルトによって構成される。供給機構１０３によって取り出された紙幣Ｐ又はバッチカードＢは、搬送ベルトに挟持されて、搬送路の上流側から下流側に向かって搬送される。搬送機構１０４による搬送路は、供給機構１０３によって供給部１０２から紙幣Ｐ又はバッチカードＢが取り出される地点を上流側として、検出装置１０５を通過し、リジェクト部１０６および集積部１０７側を下流側とする。搬送機構１０４による搬送路は、下流側において、リジェクト部１０６に連結する流路と、集積部１０７に連結する流路に分岐している。
【００２０】
検出装置１０５は、搬送機構１０４によって送られてきた紙葉類を検出する。また、検出装置１０５は、検出した紙葉類が紙幣Ｐであるか又はバッチカードＢであるか否かを判定する。検出装置１０５は、紙幣Ｐであると判定した場合、紙幣の種類（金種）、形状、厚さ、表裏、真偽、正損、２枚取り等を示す情報を検出する。本実施形態において、検出装置１０５は、カメラ、物理的特性を検出する物理的特性検出手段や磁気検出手段等を含む。ここで、紙幣Ｐの種類検出とは、紙幣Ｐに印刷されている模様に基づき紙幣Ｐの種類（千円札、五千円札、一万円札等）がいずれであるのかを検出する処理である。真偽検出とは、紙幣Ｐのホログラムからの反射光や透かしからの透過光に基づき紙幣Ｐが真券であるか又は偽券であるかを判定する処理である。正損検出とは、紙幣Ｐを撮影した画像に基づき紙幣Ｐの汚損度合いが基準値よりも高いか否かを判定し、紙幣Ｐが正券であるか又は損券であるかを判定する処理である。なお、正券とは、汚損度合いが基準値よりも低く再流通可能な紙幣をいう。損券とは、汚損度合いが基準値よりも高く再流通不可能な紙幣をいう。
【００２１】
リジェクト部１０６は、検出装置１０５の検出結果に基づきリジェクト券と判定された紙葉類を回収する。リジェクト部１０６は、リジェクト券と判定された紙葉類を、リジェクト券回収箱１０６ａ又は１０６ｂに搬出する。リジェクト部１０６は、制御部１０１の指示により、偽券と判定されたリジェクト券をリジェクト券回収箱１０６ａに搬出し、偽券と判定されていないリジェクト券（例えば、バッチカード等）をリジェクト券回収箱１０６ｂに搬出するようにしてもよい。
【００２２】
集積部１０７は、検出装置１０５の検出結果に基づき処理券と判定された紙幣Ｐのうち正券を、紙幣Ｐの種類に応じて、紙幣Ｐの種類ごとに用意された集積箱１０７ａ，１０７ｂ，１０７ｃに搬出する。これら集積箱１０７ａ，１０７ｂ，１０７ｃは、一列に並んで配置されており、例えば、千円札、五千円札、一万円札をそれぞれ収容する収集箱である。また、集積部１０７は、検出装置１０５の検出結果に基づき処理券と判定された紙幣Ｐのうち損券を、集積箱１０７ｄに搬出する。
【００２３】
以下、メインユニット１００の動作例について説明する。
供給機構１０３は、供給部１０２に収容された紙幣Ｐ又はバッチカードＢを１枚ずつ取り出し、搬送機構１０４に送り出す。搬送機構１０４は、供給機構１０３によって取り出された紙幣Ｐ又はバッチカードＢを、１枚ずつ、検出装置１０５に送り出す。検出装置１０５は、搬送機構１０４により搬送された紙幣Ｐの種類、正損、真偽、搬送方向を示す情報を検出し、制御部１０１に出力する。制御部１０１は、検出装置１０５の検出結果に基づき、例えば、各紙幣Ｐが、リジェクト券であるか、又は、処理券であるかを判定し、この判定結果を、紙幣Ｐの金額を示す計算結果とともに集計装置３０に出力する。制御部１０１は、判定結果に基づき、リジェクト券をリジェクト部１０６に搬出し、処理券を集積部１０７に搬出するように、搬送機構１０４を制御する。
リジェクト部１０６は、制御部１０１による制御に従って、検出装置１０５によってリジェクト券と判定された紙幣Ｐ又はバッチカードＢを、リジェクト券回収箱１０６ａ又は１０６ｂに搬出する。
集積部１０７は、制御部１０１による制御に従って、処理券のうち正券と判定された紙幣Ｐを、検出装置１０５の検出結果に基づき判定された紙幣Ｐの種類に応じて、集積箱１０７ａ，１０７ｂ，１０７ｃに搬出する。なお、検出装置１０５によって処理券のうち損券と判定された紙幣Ｐは、集積部１０７によって集積箱１０７ｄに搬出される。
【００２４】
ここで、バッチカードＢを含む紙幣群Ｇごとの制御部１０１における処理例について説明する。紙葉類処理装置２０は、検出装置１０５に搬送されるバッチカードＢの順番に応じて、それぞれ異なる処理を実行することができる。以下、バッチカードの順番が紙幣群Ｇの最後尾であることが決められている方法を、最後尾バッチ処理という。一方、バッチカードＢの順番が紙幣群Ｇの先頭であることが決められている方法を、先頭バッチ処理という。本実施形態では、紙葉類処理装置２０が、最後尾バッチ処理を実行する例について説明する。なお、先頭バッチ処理については、第２の実施形態において説明する。
【００２５】
最後尾バッチ処理において、制御部１０１は、最初に検出した処理券を１枚目として、処理券の枚数（紙幣の種類ごとの枚数）と金額を計算する。制御部１０１は、２枚目以降の処理券の枚数と金額を、その前までに計算した処理券の種類ごとの枚数と金額にそれぞれ合算する。なお、制御部１０１は、リジェクト券であると判定した場合、リジェクト券の枚数と金額を合算しない。制御部１０１は、バッチカードＢを検出した場合、バッチカードＢからバッチ番号を読み出す。また、制御部１０１は、バッチカードＢを検出した場合、それまでに計算した処理券の種類ごとの枚数と金額とを示す情報と、バッチカードＢから読み出したバッチ番号とを対応付けてバッチＤＢ４０に書き込む。これにより、バッチＤＢ４０において、紙幣Ｐの種類ごとの枚数と金額を示す情報が、紙幣群Ｇごとに、バッチ番号と対応付けられる。なお、紙葉類処理装置２０は、計数結果とバッチ番号とを対応付けた情報を集計装置３０に送信してもよい。そして、集計装置３０が、受信した情報をバッチＤＢ４０に書き込んでもよい。
なお、制御部１０１は、バッチカードＢを検出した場合、バッチカードＢの次に検出した処理券を１枚目とする。その後、制御部１０１は、上述の処理を繰り返す。
【００２６】
次に、施封ユニット２００の構成について詳細に説明する。
施封ユニット２００は、例えば、３つの施封モジュール２００ａ，２００ｂ，２００ｃを備える。これらの施封モジュール２００ａ，２００ｂ，２００ｃは、この順で一列に並んで配置され、互いに電気的かつ機械的に連結されている。これら施封モジュール２００ａ，２００ｂ，２００ｃは、それぞれ種類が異なる紙幣Ｐを施封する装置として決められているものであってもよく、同じ種類の紙幣Ｐを施封する装置として決められているものであってもよい。これら施封モジュール２００ａ，２００ｂ，２００ｃは、同様の構成を有する。以下、施封モジュール２００ａの構成について詳細に説明し、施封モジュール２００ｂ，２００ｃの構成についての説明は省略する。
【００２７】
施封モジュール２００ａは、搬送機構２０１と、第１集積装置２０２と、第２集積装置２０３と、施封装置２０４と、集積部２０５とを備える。第２集積装置２０３は、第１集積装置２０２に対して斜め下方向にずれた位置に配置されている。施封装置２０４は、第２集積装置２０３の下方に配置されている。集積部２０５は、施封装置２０４の下方に配置されている。第１集積装置２０２と第２集積装置２０３とは、それぞれ種類が異なる紙幣Ｐを集積する装置として決められているものであってもよく、同じ種類の紙幣Ｐを集積する装置として決められているものであってもよい。
【００２８】
搬送機構２０１は、メインユニット１００からの紙幣Ｐを一枚ずつ搬送する。搬送機構２０１は、例えば、搬送機構１０４と同様、搬送路を挟むように延設されている複数組の図示しない無端状の搬送ベルトによって構成される。紙幣Ｐは、この搬送ベルトに挟持されて、搬送機構２０１による搬送路の上流側から下流側に向かって搬送される。施封モジュール２００ａ，２００ｂ，２００ｃの搬送機構２０１は、それぞれ連結されており、施封モジュール２００ａ，２００ｂ，２００ｃの順に紙幣Ｐを搬送する。
施封モジュール２００ａの搬送機構２０１による搬送路は、メインユニット１００の搬送機構１０４との連結部分を上流側として、次の施封モジュール２００ｂとの連結部分を下流側とする。施封モジュール２００ｂの搬送機構２０１による搬送路は、施封モジュール２００ａの搬送機構２０１との連結部分を上流側として、次の施封モジュール２００ｃとの連結部分を下流側とする。施封モジュール２００ｃの搬送機構２０１による搬送路は、施封モジュール２００ｂの搬送機構２０１との連結部分を上流側として、セーフティポケット２１１との連結部分を下流側とする。セーフティポケット２１１には、各施封モジュール２００ａ，２００ｂ，２００ｃの搬送中に処理できなかった紙幣Ｐが排出される。
【００２９】
第１集積装置２０２と第２集積装置２０３は、それぞれ、搬送機構２０１により搬送される紙幣Ｐであって、メインユニット１００の搬送機構１０４から送られてきた紙幣Ｐを所定枚数ずつ集積する。これら第１集積装置２０２と第２集積装置２０３は、それぞれ、所定枚数ずつ、例えば１００枚ずつ、紙幣Ｐの束（以下、紙幣束Ｑという）を集積する。これら第１集積装置２０２と第２集積装置２０３は、交互に紙幣束Ｑを作成するように動作するものであってもよい。このように、交互に紙幣束Ｑを作成することにより、第１集積装置２０２又は第２集積装置２０３において所定枚数の紙幣束Ｑが集積された場合であっても、他方の第１集積装置２０２と第２集積装置２０３にメインユニット１００から搬出された紙幣Ｐを集積させることができる。
【００３０】
施封装置２０４は、第１集積装置２０２又は第２集積装置２０３によって集積された紙幣束Ｑを結束帯により施封する。施封装置２０４は、搬送トレイ２０７と、帯供給部２０８と、印字装置２０９と、帯巻き機構２１０と、を備える。
搬送トレイ２０７は、図示しない駆動機構によって昇降方向や横方向に移動する。搬送トレイ２０７は、第１集積装置２０２又は第２集積装置２０３のそれぞれから、集積した紙幣束Ｑを受け取り、帯巻き機構２１０へ搬出する。帯供給部２０８は、搬送トレイ２０７により運ばれて来た紙幣束Ｑを施封するための結束帯を帯巻き機構２１０に供給する。印字装置２０９は、帯供給部２０８から供給された結束帯に所望の情報を印字する。帯巻き機構２１０は、印字装置２０９によって印刷済みの結束帯を紙幣束Ｑに巻き付ける。結束帯が巻き付けられた紙幣束Ｑは、図示しない搬送機構によって集積部２０５に搬出される。集積部２０５は、施封装置２０４により施封された紙幣束Ｑを受取り、集積する。
【００３１】
以下、施封モジュール２００ａの動作例について説明する。
メインユニット１００において、処理した紙幣Ｐに対してさらに施封処理を実行することが設定されている場合、制御部１０１は、制御部１０１によって正券と判定された紙幣Ｐを、施封モジュール２００ａ，２００ｂ，２００ｃのうちいずれかに搬出するよう搬送機構１０４，２０１を制御する。メインユニット１００の搬送機構１０４は、制御部１０１の制御に従って、正券と判定された紙幣Ｐを、例えば施封モジュール２００ａに搬出する。
施封モジュール２００ａの搬送機構２０１は、自身の施封対象として決められている種類の紙幣Ｐを第１集積装置２０２又は第２集積装置２０３へ搬送する。一方、施封モジュール２００ａの搬送機構２０１は、自身の施封対象として決められている種類以外の紙幣Ｐを、施封モジュール２００ａ又は２００ｃへ搬送する。なお、制御部１０１により損券と判定された紙幣Ｐは、集積部１０７によって集積箱１０７ｄに集積される。
そして、搬送トレイ２０７は、第１集積装置２０２又は第２集積装置２０３によって集積された紙幣束Ｑを受け取り、帯巻き機構２１０まで運ぶ。帯巻き機構２１０は、印字装置２０９によって印刷済みの結束帯を受け取り、この結束帯で紙幣束Ｑに巻き付ける。結束帯が巻き付けられた紙幣束Ｑは、図示しない搬送機構によって集積部２０５に搬出される。
【００３２】
次に、図４を参照して、紙葉類処理装置２０の機能構成について説明する。図４は、本実施形態に係る紙葉類処理装置２０の構成例を示すブロック図である。
紙葉類処理装置２０の制御部１０１は、種類判定処理部１００１と、真偽検出処理部１００２と、正損検出処理部１００３と、読取部１００４と、検索部１００５と、計数処理部１００６と、搬送制御部１００７と、報知部１００８と、登録部１００９と、を備える。
【００３３】
種類判定処理部１００１は、例えば、検出装置１０５が検出した紙葉類の模様に基づき、バッチカードＢであるか、又は、紙幣Ｐであるかを判定する。また、種類判定処理部１００１は、紙幣Ｐに印刷されている表裏の模様に基づき、紙幣Ｐの種類を判定する。
【００３４】
真偽検出処理部１００２は、搬送される紙幣Ｐが真券（本物の紙幣）であるか、又は、偽券（偽物の紙幣）であるかを判定する。真偽検出処理部１００２は、搬送される紙幣Ｐの物理的特性を検出する物理的特性検出手段や磁気検出手段等による検出結果に基づき、真偽を判定する。真偽検出処理部１００２は、例えば、紙幣Ｐのホログラムからの反射光や透かしからの透過光が、予め決められたパターンの模様である場合、紙幣Ｐが真券であると判定する。真偽検出処理部１００２は、例えば、紙幣Ｐに含有される磁性体量が、予め決められた範囲内の量である場合、紙幣Ｐが真券であると判定する。
【００３５】
正損検出処理部１００３は、真偽検出処理部１００２により真券と判定された紙葉類Ｐが再流通可能である場合に正券と判定し、再流通不可能である場合に損券と判定する。正損検出処理部１００３は、紙幣Ｐに付着した汚れ、破れ等の汚損を検出する。正損検出処理部１００３は、検出した紙幣Ｐ上の汚れの範囲の大きさや紙幣Ｐの汚れの数、破れの大きさや数を示す汚損度合いを求める。正損検出処理部１００３は、求めた汚損度合いと基準値とを比較し、汚損度合いが基準値よりも低い場合、正券であると判定する。一方、汚損度合いが基準値よりも高い場合、正損検出処理部１００３は、当該紙幣Ｐが損券であると判定する。
【００３６】
読取部１００４は、検出装置１０５が撮影した画像データに基づき、バッチカードＢのバーコードからバッチ番号を読み取る。読取部１００４は、読み取ったバッチ番号を検索部１００５に出力する。読取部１００４は、バッチカードＢのバーコードからバッチ番号を読み取れなかった場合、読み取れなかったことを示す情報を計数処理部１００６に出力する。
【００３７】
検索部１００５は、読取部１００４が読み取ったバッチ番号を、バッチＤＢ４０から検索する。読取部１００４が読み取ったバッチ番号を検索により得た場合、検索部１００５は、読み取ったバッチ番号が登録済みの番号であると判定する。一方、読取部１００４が読み取ったバッチ番号を検索により得られなかった場合、検索部１００５は、読み取ったバッチ番号が未登録の番号であると判定する。検索部１００５は、検索結果を示す情報を、計数処理部１００６、報知部１００８、及び登録部１００９に出力する。
【００３８】
計数処理部１００６は、種類判定処理部１００１の判定結果に基づき、処理券と判定された紙幣Ｐの金額を紙幣群Ｇごとに計算する。計数処理部１００６は、正損検出処理部１００３により正券と判定された紙幣Ｐと損券と判定された紙幣Ｐの金額をいずれも合算する。計数処理部１００６は、真偽検出処理部１００２により偽券と判定された紙幣Ｐの金額は合算しない。
【００３９】
搬送制御部１００７は、メインユニット１００の動作部（供給機構１０３、搬送機構１０４、リジェクト部１０６、集積部１０７）と、施封ユニット２００の動作部（搬送機構２０１）を制御する。
【００４０】
報知部１００８は、読み取ったバッチ番号が未登録であること、又は、バッチ番号を読み取れなかったことを示す情報を集計装置３０に送信して、集計装置３０から作業者Ｙに対して報知させる。
登録部１００９は、計数処理部１００６による計数結果と読取部１００４が読み取ったバッチ番号とを対応付けた情報を、バッチＤＢ４０に書き込む。
【００４１】
次に、図５を参照して、バッチＤＢ４０に格納されるデータの一例について説明する。図５は、バッチＤＢ４０に格納されるデータテーブルの一例を示す図である。
図示の通り、バッチＤＢ４０には、例えば、ナンバーと、バッチ番号と、アカウント番号と、処理券の金額と、処理券の内訳と、リジェクト券の金額と、リジェクト券の内訳と、処理日時とを対応付けたテーブルが格納されている。ナンバーの項目には、例えば登録装置１０により登録された順番を示す情報が格納される。ナンバーは、登録装置１０によりシーケンシャルに割り当てられる情報である。バッチ番号とアカウント番号の項目は、主に、登録装置１０により書き込まれる情報である。また、バッチ番号とアカウント番号の項目は、後述するように、紙葉類処理装置２０の登録部１００９により書き込まれる情報も含む。処理券の金額、処理券の内訳の項目は、紙葉類処理装置２０の登録部１００９により書き込まれる情報が格納される。処理券の金額は、計数処理部１００６が計算した紙幣群Ｇごとの処理券の合計金額である。処理券の内訳は、各紙幣群Ｇに含まれる処理券の紙幣Ｐの種類ごとの枚数である。リジェクト券の金額、リジェクト券の内訳の項目は、集計装置３０により書き込まれる情報が格納される。リジェクト券の金額は、リジェクト券回収箱１０６ａ又は１０６ｂから取り出した紙幣Ｐの金額を紙幣群Ｇごとに作業者Ｙが合計した金額である。リジェクト券の内訳は、各紙幣群Ｇに含まれるリジェクト券の紙幣Ｐの種類ごとの枚数である。
【００４２】
次に、図６を参照して、本実施形態に係る紙葉類処理方法の一例について説明する。図６は、本実施形態に係る紙葉類処理方法の一例について説明するためのフローチャートである。本実施形態の紙葉類処理装置２０は、上述の通り最後尾バッチ処理を実行する。ここでは、バッチカードＢは、自身に対応する処理単位の紙葉類の最後尾（末尾）に配置された状態で搬送機構の導入部である供給部１０２に載置される。
まず、検出装置１０５は、通過する紙葉類を検出する（ステップＳＴ１００）。検出装置１０５は、検出した紙葉類を撮像した撮像画像データや物理的特性を示す情報を、種類判定処理部１００１、真偽検出処理部１００２、正損検出処理部１００３、及び読取部１００４に出力する。
次に、種類判定処理部１００１は、検出装置１０５から入力された画像データに基づき、検出装置１０５が検出した紙葉類がバッチカードＢであるか、又は、紙幣Ｐであるかを判定する（ステップＳＴ１０１）。種類判定処理部１００１は、検出装置１０５から入力した画像データに含まれる模様が予め決められている紙幣Ｐの模様とマッチングした場合に、検出した紙葉類が紙幣Ｐであると判定し、そうでない場合に、検出した紙葉類がバッチカードＢであると判定する。
【００４３】
検出した紙葉類が紙幣Ｐであると判定された場合、真偽検出処理部１００２は、検出装置１０５から入力された画像データに基づき、紙幣Ｐがリジェクト券であるか否かを判定する（ステップＳＴ１０２）。真偽検出処理部１００２は、紙幣Ｐが偽券である場合や、基準姿勢からずれて搬送されたものである場合に、紙幣Ｐがリジェクト券であると判定する。
【００４４】
紙幣Ｐがリジェクト券でないと判定された場合、計数処理部１００６は、検出装置１０５が検出した紙幣Ｐの計数処理を行う（ステップＳＴ１０３）。計数処理部１００６は、例えば、検出装置１０５が検出した紙幣Ｐの枚数を種類ごとに加算する。また、計数処理部１００６は、紙幣群Ｇごとに加算された紙幣Ｐの現時点の合計金額を計算してもよい。
【００４５】
紙幣Ｐの計数処理をした後、計数処理部１００６は、紙幣Ｐを施封ユニット２００に搬出するよう搬送制御部１００７に指示する（ステップＳＴ１０４）。計数処理部１００６は、紙幣Ｐの種類を示す情報を搬送制御部１００７に出力して搬送先を指示する。搬送制御部１００７は、紙幣Ｐの種類に応じた施封モジュール２００ａ，２００ｂ，２００ｃに紙幣Ｐを搬出するよう搬送機構１０４と搬送機構２０１とを制御する。これにより、紙幣Ｐは、施封ユニット２００に搬出される。
【００４６】
一方、ステップＳＴ１０２の判定において紙幣Ｐがリジェクト券であると判定された場合、計数処理部１００６は、紙幣Ｐをリジェクト部１０６に搬出するよう搬送制御部１００７に指示する（ステップＳＴ１０５）。計数処理部１００６は、紙幣Ｐがリジェクト券であることを示す情報を搬送制御部１００７に出力して搬送先を指示する。搬送制御部１００７は、指示された搬送先であるリジェクト券回収箱１０６ａ又は１０６ｂに紙幣Ｐを搬出するようリジェクト部１０６を制御する。これにより、紙幣Ｐは、リジェクト券回収箱１０６ａ又は１０６ｂに搬出される。
【００４７】
次に、制御部１０１は、検出装置１０５により次の紙幣Ｐ又はバッチカードＢが検出されたか否かを判定する（ステップＳＴ１０６）。検出装置１０５により次の紙幣Ｐ又はバッチカードＢが検出された場合、制御部１０１は、ステップＳＴ１００に戻って、処理を繰り返す。一方、検出装置１０５により次の紙幣Ｐ又はバッチカードＢが検出されなくなった場合、制御部１０１は、処理を終了する。
【００４８】
戻って、ステップＳＴ１０１の判定において紙葉類がバッチカードＢであると判定された場合、読取部１００４は、検出装置１０５が撮像したバーコードからバッチ番号を読み取る（ステップＳＴ１０７）。読取部１００４は、読み取ったバッチ番号を示す情報を検索部１００５と計数処理部１００６に出力する。
【００４９】
計数処理部１００６は、計数処理による計数結果とバッチ番号とを対応付けた情報を登録部１００９に出力して、登録させる（ステップＳＴ１０８）。計数処理部１００６は、自身が内蔵する記憶部に記憶されているバッチ番号と計数結果とを登録部１００９に出力する。登録部１００９は、入力された情報に基づき、計算した紙幣Ｐの合計金額と、紙幣Ｐの種類ごとの枚数と、バッチ番号とを対応付けた情報を、バッチＤＢ４０に書き込む。
次いで、計数処理部１００６は、計数処理による処理結果をリセットする（ステップＳＴ１０９）。計数処理部１００６は、一時的に保持していた情報を消去し、合計金額をゼロ、紙幣Ｐの種類ごとの枚数をゼロにする。
【００５０】
次いで、計数処理部１００６は、バッチカードＢをリジェクト部１０６に搬出するよう搬送制御部１００７に指示する（ステップＳＴ１１０）。計数処理部１００６は、紙葉類がバッチカードＢであることを示す情報を搬送制御部１００７に出力して搬送先を指示する。搬送制御部１００７は、指示された搬送先であるリジェクト券回収箱１０６ａ又は１０６ｂにバッチカードＢを搬出するようリジェクト部１０６を制御する。これにより、バッチカードＢは、リジェクト券回収箱１０６ａ又は１０６ｂに搬出される。
【００５１】
検索部１００５は、読取部１００４から入力したバッチ番号をバッチＤＢ４０の中から検索する（ステップＳＴ１１１）。
次いで、検索部１００５は、読取部１００４が読み取ったバッチ番号が登録済みであるか否かを判定する（ステップＳＴ１１２）。検索部１００５は、読み取ったバッチ番号を検索により得た場合、バッチＤＢ４０に既にバッチ番号が登録済であると判定する。一方、検索部１００５は、読み取ったバッチ番号を検索により得ることができない場合、バッチ番号が登録済でないと判定する。検索部１００５は、検索結果を計数処理部１００６に出力する。
【００５２】
バッチ番号が登録済でないと判定された場合、計数処理部１００６は、搬送制御部１００７に対して紙葉類の搬送停止を指示する（ステップＳＴ１１３）。搬送制御部１００７は、バッチカードＢ以降の紙葉類の搬送を停止するように、供給機構１０３及び搬送機構１０４の動作を制御する。
【００５３】
報知部１００８は、読み取ったバッチ番号が未登録であること、又は、読取部１００４がバッチ番号を読み取れなかったことを、集計装置３０に送信して作業者Ｙに報知させる（ステップＳＴ１１４）。例えば、報知部１００８は、読み取ったバッチ番号を示して登録処理の実行を要求するメッセージを集計装置３０に表示させる。また、報知部１００８は、読取部１００４がバッチ番号を読み取れなかったことを示すエラーメッセージを集計装置３０に表示させる。
【００５４】
そして、集計装置３０は、バッチ番号の登録を受け付ける（ステップＳＴ１１５）。例えば、読み取ったバッチ番号が未登録であることが集計装置３０に表示されている場合、作業者Ｙは、アカウント用紙Ａを参照して、未登録であるバッチ番号と、バッチ番号に対応するアカウント番号とを集計装置３０に入力する。集計装置３０は、未登録であったバッチ番号とアカウント番号とを対応付けて、バッチＤＢ４０に書き込む。なお、作業者Ｙは、アカウント用紙Ａに記載されている紙幣群Ｇの金額や、紙幣群Ｇの処理された順番等を参考にして、未登録であるバッチ番号に対応するアカウント番号がアカウント用紙Ａに記載のいずれであるかを判断することができる。
【００５５】
また、バッチ番号を読み取れなかったエラーメッセージが集計装置３０に表示されている場合、作業者Ｙは、リジェクト券回収箱１０６ａ又は１０６ｂからバッチ番号が読み取れなかったバッチカードＢを取り出す。作業者Ｙは、取り出したバッチカードＢに記載されているバッチ番号を集計装置３０に入力する。また、作業者Ｙは、アカウント用紙Ａを参照して、バッチ番号が読み取れなかったバッチカードＢのアカウント番号を集計装置３０に入力する。集計装置３０は、入力を受け付けたバッチ番号とアカウント番号とを対応付けて、バッチＤＢ４０に書き込む。
集計装置３０は、バッチ番号に対応付けてアカウント番号をバッチＤＢ４０に書き込んだ後、バッチ番号の登録が完了したことを示す情報を制御部１０１に送信する。
【００５６】
制御部１０１の搬送制御部１００７は、再開条件を満たし、再開準備が完了したか否かを判定する（ステップＳＴ１１５）。搬送制御部１００７は、バッチ番号の登録及び計数処理が完了したことの通知を受けた場合、再開条件を満たしているため、再開準備が完了したと判定する（ステップＳＴ１１５：ＹＥＳ）。そして、バッチカードＢ以降の紙葉類の搬送を再開するように、供給機構１０３及び搬送機構１０４の動作を制御する（ステップＳＴ１１６）。
なお、再開条件としては、上記場合に限られず、例えば、搬送再開が作業者Ｙにより所定の操作ボタン等を介して指示された場合が含まれてもよい。
【００５７】
ここで、図７を参照して、集計装置３０にバッチ番号を登録する際に表示される画面例について説明する。図７は、バッチカードＢ２のバッチ番号が登録済みでないと判定された際の表示画面の一例を示す図である。
集計装置３０は、例えば、バッチＤＢ４０から読み出したバッチ番号とアカウント番号に基づき、紙幣群Ｇごとの対応表を自身の表示部に表示させる。紙葉類処理装置２０から計数結果とバッチ番号とが対応付けらえた情報を受信すると、集計装置３０は、受信した情報に基づき、バッチ番号と対応付けられた処理券の金額とその内訳の欄に、計数結果を表示させる。ここで、集計装置３０は、バッチカードＢ２のバッチ番号「０００００２」が登録済でないことを示す情報を、紙葉類処理装置２０から受信したとする。この場合、紙葉類処理装置２０によるバッチカードＢ１，Ｂ２の計数処理が終了しているため、集計装置３０は、バッチ番号「００００１」と対応付けられた係数結果と、バッチ番号「００００２」と対応付けられた係数結果とを、表示する。また、集計装置３０は、バッチ番号「００００１」の処理の直後に計数処理されたバッチ番号「００００２」の計数結果を、バッチ番号「００００３」の前にナンバー２の入力欄を挿入して、表示する。ただし、バッチ番号「００００２」は未登録であるため、集計装置３０は、バッチ番号「００００２」と対応するアカウント番号は表示しない。そして、集計装置３０は、バッチ番号「００００２」が未登録であり、アカウント番号の登録を要求するメッセージを対応表に重畳させて表示する。
作業者Ｙは、このメッセージに従ってアカウント番号を集計装置３０に入力する。集計装置３０は、作業者Ｙから入力されたアカウント番号とバッチ番号「００００２」とを対応付けて、ナンバー２の入力欄に表示させる。
【００５８】
ここで、図８を参照して、本実施形態の紙葉類処理方法において処理される紙葉類の搬送状況について説明する。図示の例では、バッチカードＢ２が未登録である例について説明する。図８（ａ）は、紙葉類処理装置２０に取り込まれる前の紙葉類について説明するための図である。図８（ｂ）〜（ｄ）は、紙葉類処理装置２０においてバッチカードＢ２が未登録であると判定された時点における紙葉類について説明するための図である。
【００５９】
図８（ａ）には、紙葉類処理装置２０に取り込まれる紙葉類を搬送順に並べた一例を示す。図示には、紙幣群Ｇ１，Ｇ２，Ｇ３，Ｇ４の順番で搬送される一例を示す。各紙幣群Ｇ１，Ｇ２，Ｇ３，Ｇ４の最後尾に、それぞれ、バッチカードＢ１，Ｂ２，Ｂ３，Ｂ４が並べられる。つまり、図８（ａ）は、最後尾バッチ処理を実行する際の紙葉類の並べ方の一例を示す。
【００６０】
図８（ｂ）には、リジェクト部１０６によりリジェクト券回収箱１０６ａ又は１０６ｂに回収された紙葉類の一例を示す。リジェクト券回収箱１０６ａ又は１０６ｂには、紙幣Ｐ１、バッチカードＢ１、紙幣Ｐ２、バッチカードＢ２が、下の方から順番に重った状態で収容されている。紙幣Ｐ１は紙幣群Ｇ１に含まれるリジェクト券である。紙幣Ｐ２は紙幣群Ｇ２に含まれるリジェクト券である。
【００６１】
図８（ｃ）には、制御部１０１により処理券であると判定された紙幣Ｐの一例を示す。図８（ｃ）に示す処理券は、図８（ａ）に示す紙幣群Ｇ１，Ｇ２から、図８（ｂ）に示すリジェクト券を除いた処理券である。これら処理券は、紙幣Ｐの種類ごとに決められた搬送先に搬送される。
図８（ｄ）には、供給部１０２で待機している紙幣Ｐの一例を示す。バッチカードＢが未登録であることが判定された時点では、図８（ｄ）に示す通り、紙幣群Ｇ３，Ｇ４が未搬送の状態である。なお、紙葉類処理装置２０の種類によっては、バッチカードＢ２が検出装置１０５を通過する際に、紙幣群Ｇ３に含まれる紙幣Ｐの一部が紙葉類処理装置２０に取り込まれている場合もある。ここでは説明簡略化のため、紙幣群Ｇ３に含まれる紙幣Ｐの一部が紙葉類処理装置２０に取り込まれない場合の一例を示す。
このように、図６に示す紙葉類処理方法によると、バッチカードＢ２が未登録であることが判定された時点において、バッチカードＢ２以降の紙葉類の搬送を一時的に停止させることができる。未登録のバッチカードＢは現在処理したばかりの紙幣群Ｇに対応するものである。これにより、未登録のバッチカードＢを検出した時点で、速やかに、未登録のバッチカードＢに対応するアカウント番号を登録することができる。よって、作業者Ｙは、現在処理したばかりの紙幣群Ｇに対応する未登録のバッチカードＢ２について、登録処理を行うことができる。
【００６２】
（第２の実施形態）
次に、第２の実施形態の紙葉類処理方法の一例について説明する。本実施形態の紙葉類処理装置は、先頭バッチ処理を実行する点で、最後尾バッチ処理を実行する第１の実施形態の紙葉類処理装置２０と異なる。それ以外については、上述した第１の実施形態の紙葉類処理装置２０と同様の機能と構成を有するため、各構成部については同一の付号を用い、各構成についての詳細な説明は省略する。
【００６３】
本実施形態において、紙葉類処理装置２０の制御部１０１は、バッチカードＢを検出した場合、バッチカードＢの次に検出した処理券を１枚目として計算する。制御部１０１は、次のバッチカードＢを検出するまで、検出した処理券の枚数（紙幣の種類ごとの枚数）と金額を計算する。なお、制御部１０１は、リジェクト券であると判定した場合、リジェクト券の枚数と金額を合算しない。制御部１０１は、次のバッチカードＢを検出した場合、それまでに計算した処理券の種類ごとの枚数と金額とを示す情報と、ひとつ前に読み出したバッチカードＢのバッチ番号とを対応付けてバッチＤＢ４０に書き込む。これにより、バッチＤＢ４０において、紙幣Ｐの種類ごとの枚数と金額を示す情報が、紙幣群Ｇごとに、バッチ番号と対応付けられる。なお、紙葉類処理装置２０は、計数結果とバッチ番号とを対応付けた情報を集計装置３０に送信してもよい。そして、集計装置３０が、受信した情報をバッチＤＢ４０に書き込んでもよい。
【００６４】
図９は、本実施形態に係る紙葉類処理方法の一例について説明するためのフローチャートである。ここでは、バッチカードＢは、自身に対応する処理単位の紙葉類の先頭に配置された状態で搬送機構の導入部である供給部１０２に載置される。
まず、検出装置１０５は、通過する紙葉類を検出する（ステップＳＴ２００）。検出装置１０５は、検出した紙葉類を撮像した撮像画像データや物理的特性を示す情報を、種類判定処理部１００１、真偽検出処理部１００２、正損検出処理部１００３、及び読取部１００４に出力する。
次に、種類判定処理部１００１は、検出装置１０５から入力された画像データに基づき、検出装置１０５が検出した紙葉類がバッチカードＢであるか、又は、紙幣Ｐであるかを判定する（ステップＳＴ２０１）。種類判定処理部１００１は、検出装置１０５から入力した画像データに含まれる模様が予め決められている紙幣Ｐの模様とマッチングした場合に、検出した紙葉類が紙幣Ｐであると判定し、そうでない場合に、検出した紙葉類がバッチカードＢであると判定する。
【００６５】
検出した紙葉類がバッチカードＢであると判定された場合、読取部１００４は、検出装置１０５が撮像したバーコードからバッチ番号を読み取る（ステップＳＴ２０２）。読取部１００４は、読み取ったバッチ番号を示す情報を検索部１００５と計数処理部１００６に出力する。
計数処理部１００６は、読み取ったバッチ番号が最初のバッチ番号か否かを判定する（ステップＳＴ２０３）。計数処理部１００６は、自身が内蔵する記憶部にバッチ番号が記憶されている場合、読み取ったバッチ番号が最初のバッチ番号でないと判定する。
読み取ったバッチ番号が最初のバッチ番号でないと判定した場合、計数処理部１００６は、ひとつ前の紙幣群Ｇについて、計数処理による計数結果とバッチ番号とを対応付けた情報を登録部１００９に出力し、登録させる（ステップＳＴ２０４）。計数処理部１００６は、自身が内蔵する記憶部に記憶されているバッチ番号とこれまでの計数結果とを登録部１００９に出力する。登録部１００９は、入力された情報に基づき、ひとつ前の紙幣群Ｇについての紙幣Ｐの合計金額と、紙幣Ｐの種類ごとの枚数と、バッチ番号とを対応付けた情報を、バッチＤＢ４０に書き込む。
そして、計数処理部１００６は、計数処理による処理結果をリセットする（ステップＳＴ２０５）。計数処理部１００６は、一時的に保持していた情報を消去し、合計金額をゼロ、紙幣Ｐの種類ごとの枚数をゼロにする。一方、ステップＳＴ２０３の判定において、読み取ったバッチ番号が最初のバッチ番号であると判定した場合、計数処理部１００６は、ステップＳＴ２０４，ＳＴ２０５の処理を実行しない。
【００６６】
次いで、計数処理部１００６は、バッチカードＢをリジェクト部１０６に搬出するよう搬送制御部１００７に指示する（ステップＳＴ２０６）。計数処理部１００６は、紙葉類がバッチカードＢであることを示す情報を搬送制御部１００７に出力して搬送先を指示する。搬送制御部１００７は、指示された搬送先であるリジェクト券回収箱１０６ａ又は１０６ｂにバッチカードＢを搬出するようリジェクト部１０６を制御する。これにより、バッチカードＢは、リジェクト券回収箱１０６ａ又は１０６ｂに搬出される。
【００６７】
検索部１００５は、読取部１００４から入力したバッチ番号をバッチＤＢ４０の中から検索する（ステップＳＴ２０７）。
次いで、検索部１００５は、読取部１００４が読み取ったバッチ番号が登録済みであるか否かを判定する（ステップＳＴ２０８）。検索部１００５は、検索結果を計数処理部１００６に出力する。
【００６８】
バッチ番号が登録済みであると判定された場合、計数処理部１００６は、読み取ったバッチ番号を一時的に内蔵する記憶部に記憶させる（ステップＳＴ２０９）。計数処理部１００６は、ここで記憶されたバッチ番号を、これから計数処理する紙幣群Ｇのバッチ番号として取り扱う。
【００６９】
制御部１０１は、検出装置１０５により次の紙葉類が検出されたか否かを判定する（ステップＳＴ２１０）。検出装置１０５により次の紙葉類が検出された場合、制御部１０１は、ステップＳＴ２００に戻って、処理を繰り返す。一方、検出装置１０５により紙葉類が検出されなくなった場合、制御部１０１は、処理を終了する。
【００７０】
一方、ステップＳＴ２０８の判定においてバッチ番号が登録済でないと判定された場合、計数処理部１００６は、次のバッチカードＢまでの紙幣Ｐを全てリジェクト部１０６に搬出するよう、搬送制御部１００７に指示する（ステップＳＴ２１１）。搬送制御部１００７は、バッチカードＢを検出したことが通知されるまで、検出した紙幣Ｐをリジェクト券回収箱１０６ａ又は１０６ｂに搬出するよう、搬送機構１０４とリジェクト部１０６とを制御する。なお、ステップＳ２０７の判定においてバッチ番号が登録済でないと判定される場合には、読取部１００４がバッチ番号を読み取れなかった場合などが含まれてよい。
次いで、計数処理部１００６は、種類判定処理部１００１により次のバッチカードＢが検出された場合、検出バッチカードＢ以降の紙葉類の搬送を停止するよう搬送制御部１００７に指示する（ステップＳＴ２１２）。搬送制御部１００７は、計数処理部１００６の指示に従って、供給機構１０３及び搬送機構１０４の動作を停止させる。これにより、次のバッチカードＢ以降の紙幣Ｐの搬送が一時的に停止される。
【００７１】
報知部１００８は、読み取ったバッチ番号が未登録であること、又は、バッチ番号を読み取れなかったことを、集計装置３０に送信して作業者Ｙに報知させる（ステップＳＴ２１３）。例えば、報知部１００８は、読み取ったバッチ番号を示して登録処理の実行を要求するメッセージを集計装置３０に表示させる。また、報知部１００８は、読取部１００４がバッチ番号を読み取れなかったことを示すエラーメッセージを集計装置３０に表示させる。
そして、集計装置３０は、バッチ番号の登録を受け付ける（ステップＳＴ２１４）。集計装置３０は、バッチ番号に対応付けてアカウント番号をバッチＤＢ４０に書き込んだ後、バッチ番号の登録が完了したことを示す情報を制御部１０１に送信する。
作業者Ｙは、リジェクト券回収箱１０６ａ又は１０６ｂから、バッチ番号が未登録であること、又は、バッチ番号が読み取れなかったことが判定されたバッチカードＢと、バッチカードＢの後にリジェクト券回収箱１０６ａ又は１０６ｂに収容された紙幣群Ｇを取り出す。そして、作業者Ｙは、供給部１０２に載置されている紙幣Ｐの前（つまり、下）に、リジェクト券回収箱１０６ａ又は１０６ｂから取り出したバッチカードＢと紙幣群Ｇを差し込む。ここで、作業者Ｙは、バッチカードＢの方が前（つまり、下）になるようにバッチカードＢと紙幣群Ｇを差し込む。なお、本実施形態はこれに限られず、取り出したバッチカードＢと紙幣群Ｇが、供給部１０２の最上部に置かれてもよい。
【００７２】
制御部１０１の搬送制御部１００７は、再開条件を満たし、再開準備が完了したか否かを判定する（ステップＳＴ２１５）。搬送制御部１００７は、バッチ番号の登録が完了したことの通知を受けた場合、再開条件を満たしているため、再開準備が完了したと判定する（ステップＳＴ２１５：ＹＥＳ）。そして、バッチカードＢ以降の紙葉類の搬送を再開するように、供給機構１０３及び搬送機構１０４の動作を制御する（ステップＳＴ２１６）。
なお、再開条件としては、上記場合に限られず、例えば、搬送再開が作業者Ｙにより所定の操作ボタン等を介して指示された場合、リジェクト券回収箱１０６ａ又は１０６ｂから取り出したバッチカードＢと紙幣群Ｇが供給部１０２に載置されたことが所定のセンサにより検出された場合、又は、リジェクト券回収箱１０６ａ又は１０６ｂからバッチカードＢと紙幣群Ｇが取り出されたことが所定のセンサにより検出された場合が含まれてもよい。
【００７３】
戻って、ステップＳＴ２０１の判定において紙葉類が紙幣Ｐであると判定された場合、真偽検出処理部１００２は、検出装置１０５から入力された画像データに基づき、紙幣Ｐがリジェクト券であるか否かを判定する（ステップＳＴ２１６）。真偽検出処理部１００２は、紙幣Ｐが偽券である場合や、基準姿勢からずれて搬送されたものである場合に、紙幣Ｐがリジェクト券であると判定する。
【００７４】
紙幣Ｐがリジェクト券であると判定された場合、計数処理部１００６は、リジェクト券と判定された紙幣Ｐをリジェクト部１０６に搬出するよう搬送制御部１００７に指示する（ステップＳＴ２１７）。計数処理部１００６は、紙幣Ｐがリジェクト券であることを示す情報を搬送制御部１００７に出力して搬送先を指示する。搬送制御部１００７は、リジェクト券と判定された紙幣Ｐをリジェクト券回収箱１０６ａ又は１０６ｂに搬出するようリジェクト部１０６を制御する。これにより、リジェクト券と判定された紙幣Ｐは、リジェクト券回収箱１０６ａ又は１０６ｂに搬出される。
【００７５】
一方、紙幣Ｐがリジェクト券でないと判定された場合、計数処理部１００６は、検出装置１０５が検出した紙幣Ｐの計数処理を行う（ステップＳＴ２１８）。具体的に説明すると、計数処理部１００６は、検出装置１０５が検出した紙幣Ｐの枚数を種類ごとに加算する。計数処理部１００６は、紙幣群Ｇごとに紙幣Ｐの現時点の合計金額を計算してもよい。
紙幣Ｐの計数処理をした後、計数処理部１００６は、紙幣Ｐを施封ユニット２００に搬出するよう搬送制御部１００７に指示する（ステップＳＴ２１９）。計数処理部１００６は、紙幣Ｐの種類を示す情報を搬送制御部１００７に出力して搬送先を指示する。搬送制御部１００７は、紙幣Ｐの種類に応じた施封モジュール２００ａ，２００ｂ，２００ｃに紙幣Ｐを搬出するよう搬送機構１０４と搬送機構２０１とを制御する。これにより、紙幣Ｐは、施封ユニット２００に搬出される。
【００７６】
ここで、図１０を参照して、本実施形態の紙葉類処理方法において処理される紙葉類の搬送状況について説明する。図示の例では、バッチカードＢ２が未登録である例について説明する。図１０（ａ）は、紙葉類処理装置２０に取り込まれる前の紙葉類について説明するための図である。図１０（ｂ）〜（ｄ）は、紙葉類処理装置２０においてバッチカードＢ２が未登録であると判定された時点における紙葉類について説明するための図である。
【００７７】
図１０（ａ）には、紙葉類処理装置２０に取り込まれる紙葉類を搬送順に並べた一例を示す。図示には、紙幣群Ｇ１，Ｇ２，Ｇ３，Ｇ４の順番で搬送される一例を示す。各紙幣群Ｇ１，Ｇ２，Ｇ３，Ｇ４の先頭に、それぞれ、バッチカードＢ１，Ｂ２，Ｂ３，Ｂ４が並べられる。つまり、図１０（ａ）は、先頭バッチ処理を実行する際の紙葉類の並べ方の一例を示す。
【００７８】
図１０（ｂ）には、リジェクト部１０６によりリジェクト券回収箱１０６ａ又は１０６ｂに回収された紙葉類の一例を示す。リジェクト券回収箱１０６ａ又は１０６ｂには、バッチカードＢ１、紙幣Ｐ１、バッチカードＢ２、紙幣群Ｇ２に含まれる全ての紙幣Ｐが、下の方から順番に重った状態で収容されている。紙幣Ｐ１は紙幣群Ｇ１に含まれるリジェクト券である。
【００７９】
図１０（ｃ）には、制御部１０１により処理券であると判定された紙幣Ｐの一例を示す。図１０（ｃ）に示す処理券は、紙幣Ｐの種類ごとに決められた搬送先に搬送される。
図１０（ｄ）には、供給部１０２で待機している紙幣Ｐの一例を示す。バッチカードＢが未登録であることが判定した時点では、図１０（ｄ）に示す通り、紙幣群Ｇ３，Ｇ４が未搬送の状態である。なお、紙葉類処理装置２０の種類によっては、バッチカードＢ２が検出装置１０５を通過する際に、紙幣群Ｇ３に含まれる紙幣Ｐの一部が紙葉類処理装置２０に取り込まれている場合もある。
このように、図９に示す紙葉類処理方法によると、バッチカードＢ２が未登録であることが判定された時点において、バッチカードＢ２以降の紙葉類をリジェクト券回収箱１０６ａ又は１０６ｂに回収すると共に、次のバッチカードＢ３以降の紙葉類の搬送を一時的に停止させることができる。よって、作業者Ｙは、現在処理したばかりの紙幣群Ｇに対応する未登録のバッチカードＢ２について、登録処理を行うことができる。また、バッチカードＢが未登録である場合、又は、バッチ番号が読み取れなかった場合、バッチカードＢ２と紙幣群Ｇ２とは、改めて供給部１０２にセットされる。これにより、対応付けられたバッチカードＢと紙幣群Ｇとの並び順が崩されることを防止することができる。
【００８０】
上記各実施形態において、種類判定処理部１００１、真偽検出処理部１００２、正損検出処理部１００３、読取部１００４は、紙葉類処理装置２０の制御部１０１が備える構成に限られない。例えば、検出装置１０５に内蔵されるＣＰＵが備える構成であってもよい。
上記各実施形態において、検索部１００５、計数処理部１００６、報知部１００８、登録部１００９は、紙葉類処理装置２０の制御部１０１が備える構成に限られない。例えば、集計装置３０、又は、検出装置１０５に内蔵されるＣＰＵが備える構成であってもよい。
上記各実施形態において、紙葉類処理装置２０は、集計装置３０を介して、バッチＤＢ４０と接続されてもよい。
上記各実施形態において、リジェクト券は、偽券、折れ又は破れが発見された券、スキューや２枚取りなどにより真偽が判別不能な券、バッチカードＢ等に限られない。例えば、リジェクト券には、損券が含まれても良い。
上記各実施形態において、接続する施封モジュールの数は、実施形態に限定されることなく、必要に応じて、増減可能であり、モジュールの種類も種々選択可能である。
上記各実施形態において、紙葉類処理装置２０が処理する紙葉類は、紙幣に限られない。例えば、ゲームカード、有価証券等の他の紙葉類であってもよい。
上記各実施形態において、バッチ番号は、バッチＤＢ４０に登録されている紙幣群Ｇごとの情報を識別するための情報であればよい。例えば、登録日が異なる場合や、データファイルが異なる場合、紙葉類処理装置２０は、同じバッチカードＢを用いて紙幣群Ｇを区別してもよい。
上記各実施形態において、紙葉類処理装置２０は、計数結果とバッチ番号とを対応付けた情報を集計装置３０やバッチＤＢ４０に送信する際、計数結果とバッチ番号とを一つのデータファイルに格納して送信してもよい。
【００８１】
以上説明した少なくともひとつの実施形態によれば、バッチカードＢ２が未登録であることが判定された場合、バッチカードＢ２以降の紙葉類の搬送を停止させる機能を持つことにより、作業者Ｙの作業効率を向上させることができる。
このような機能をもたず、後から未登録のバッチカードＢと紙幣群Ｇとを探して再登録する場合、膨大な数のバッチカードＢの中から未登録のバッチカードＢを探さなければならない。この作業は、作業者Ｙの負担となっていた。少なくともひとつの実施形態によれば、この作業者Ｙの負担を軽減させることができる。
【００８２】
また、以上説明した少なくともひとつの実施形態によれば、バッチカードＢ２が未登録であることが判定された場合、バッチカードＢ２以降の紙幣群Ｇ２の紙葉類をリジェクト券回収箱１０６ａ又は１０６ｂで回収することができる。これにより、バッチ番号が未登録である紙幣群Ｇが施封ユニット２００に搬送されることを防止することができる。そして、作業者Ｙは、リジェクト券回収箱１０６ａ又は１０６ｂから回収した紙幣群Ｇの金額を計算することができる。よって、作業者Ｙは、紙幣群Ｇの金額からバッチ番号が未登録である紙幣群Ｇのアカウント番号等を探すことができる。
【００８３】
また、以上説明した少なくともひとつの実施形態によれば、未登録であったバッチ番号が登録された場合、紙葉類の搬送を再開することができる。これにより、紙葉類処理装置２０の処理を、一時停止した時の続きから継続することができる。
【００８４】
また、以上説明した少なくともひとつの実施形態によれば、バッチカードＢ２が未登録であることが判定された場合、バッチ番号が登録されていないことを報知することができる。これにより、作業者Ｙは、バッチカードＢ２が未登録であることが判定された時点で、バッチ番号に対応するアカウント番号を登録することができる。
【００８５】
また、以上説明した少なくともひとつの実施形態によれば、バッチＤＢ４０上において、バッチ番号、アカウント番号、処理券の金額、処理券の内訳を対応付けて記録することができる。リジェクト券回収箱１０６ａ又は１０６ｂには、バッチカードＢで区分された紙幣群Ｇごとのリジェクト券が順番に重ねらえて回収される。これにより、作業者Ｙは、バッチＤＢ４０に記録されている情報と、リジェクト券回収箱１０６ａ又は１０６ｂから回収したリジェクト券の金額とを照合することができる。この照合により、作業者Ｙは、各紙幣群Ｇの合計金額を求めることができる。
【００８６】
上記各実施形態の紙葉類処理装置２０は、装置内部に本実施形態を実施するための機能（プログラム）が予め設定されている場合について説明したが、これに限らず同様の機能（プログラム）をネットワークから装置にダウンロードしても良いし、同様の機能（プログラム）を記録媒体に記憶させたものを装置にインストールしてもよい。記録媒体としては、光ディスク、ＵＳＢメモリ等のプログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００８７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８８】
１…紙葉類処理システム、１０…登録装置、２０…紙葉類処理装置、３０…集計装置、４０…バッチＤＢ、１００…メインユニット、１０１…制御部、１０２…供給部、１０３…供給機構、１０４…搬送機構、１０５…検出装置、１０６…リジェクト部、１０７…集積部、２００…施封ユニット、２００ａ…施封モジュール、２００ｂ…施封モジュール、２００ｃ…施封モジュール、２０１…搬送機構、２０２…第１集積装置、２０３…第２集積装置、２０４…施封装置、２０５…集積部、２０７…搬送トレイ、２０８…帯供給部、２０９…印字装置、２１０…帯巻き機構、２１１…セーフティポケット、１００１…種類判定処理部、１００２…真偽検出処理部、１００３…正損検出処理部、１００４…読取部、１００５…検索部、１００６…計数処理部、１００７…搬送制御部、１００８…報知部、１００９…登録部
【図１】
2015127905.tif 000003
【図２】
2015127905.tif 000004
【図３】
2015127905.tif 000005
【図４】
2015127905.tif 000006
【図５】
2015127905.tif 000007
【図６】
2015127905.tif 000008
【図７】
2015127905.tif 000009
【図８】
2015127905.tif 000010
【図９】
2015127905.tif 000011
【図１０】
2015127905.tif 000012